(57)【要約】【課題】貨物自動車の荷台に積載されている放射性汚染物から放出される放射線を貨物自動車の走行中に測定することが可能な放射性汚染物運搬装置を提供することを目的とする。【解決手段】放射性汚染物運搬装置１は、放射性物質が付着した放射性汚染物を積載するための荷台を備えた貨物自動車（トラック２）と、貨物自動車の荷台に積載された放射性汚染物から放出される放射線を貨物自動車の走行中に測定するための第１の放射線測定手段（放射線測定手段５）と、を備えた。【選択図】図１
2015099141.tif 000002
【特許請求の範囲】
【請求項１】
放射性物質が付着した放射性汚染物を積載するための荷台を備えた貨物自動車と、
貨物自動車の荷台に積載された放射性汚染物から放出される放射線を貨物自動車の走行中に測定するための第１の放射線測定手段と、
を備えたことを特徴とする放射性汚染物運搬装置。
【請求項２】
貨物自動車の現在位置を検出する位置検出手段と、
第１の放射線測定手段により測定された測定値及び位置検出手段により検出された位置データを送信する送信手段と、
を備えたことを特徴とする請求項１に記載の放射性汚染物運搬装置。
【請求項３】
貨物自動車に付着した放射線物質から放出される放射線を貨物自動車の走行中に測定するための第２の放射線測定手段と、
貨物自動車の現在位置を検出する位置検出手段と、
第１の放射線測定手段により測定された測定値及び位置検出手段により検出された位置データ、又は、第２の放射線測定手段により測定された測定値及び位置検出手段により検出された位置データを送信する送信手段と、
を備えたことを特徴とする請求項１に記載の放射性汚染物運搬装置。
【請求項４】
第１の放射線測定手段は、底面と対向する上部開口を有した放射線遮蔽箱と、放射線遮蔽箱内に設置された放射線検出器と、を備え、
放射線遮蔽箱は、外底面が荷台の床面と対向するように貨物自動車の荷台に設置され、
放射線検出器は、貨物自動車の荷台に積載されて放射線遮蔽箱の上部開口の上方に位置する放射性汚染物から放出されて放射線遮蔽箱の上部開口を介して入射する放射線を検出するように構成されたことを特徴とする請求項１乃至請求項３のいずれか一項に記載の放射性汚染物運搬装置。
【発明の詳細な説明】
【技術分野】
【０００１】
本発明は、放射性物質によって汚染された物（以下、放射性汚染物という）を運搬する放射性汚染物運搬装置に関する。
【背景技術】
【０００２】
放射線検出器が上下方向に移動可能となるように設けられたフォークリフト等の放射線検出車が知られている（例えば特許文献１等参照）。
当該放射線検出車は、例えば、荷台に荷物を積載した貨物自動車（トラック）が通過する入口ゲートに放射線検出器を備えた貨物自動車モニターの代わりに、貨物自動車の荷台に積載された積荷中に放射性物質があるか否かを検出するために用いられる。
【先行技術文献】
【特許文献】
【０００３】
【特許文献１】特開２００３−７５５４１号公報
【発明の概要】
【発明が解決しようとする課題】
【０００４】
上述した放射線検出車は、停止した貨物自動車の荷台に積載されている積荷中に放射性物質があるか否かを検出するものであり、貨物自動車の荷台に積載されている放射性汚染物から放出される放射線を貨物自動車の走行中に測定することはできない。
本発明は、貨物自動車の荷台に積載されている放射性汚染物から放出される放射線を貨物自動車の走行中に測定することが可能な放射性汚染物運搬装置を提供することを目的とする。
【課題を解決するための手段】
【０００５】
本発明に係る放射性汚染物運搬装置は、放射性物質が付着した放射性汚染物を積載するための荷台を備えた貨物自動車と、貨物自動車の荷台に積載された放射性汚染物から放出される放射線を貨物自動車の走行中に測定するための第１の放射線測定手段と、を備えたので、貨物自動車の荷台に積載されている放射性汚染物から放出される放射線を貨物自動車の走行中に測定することが可能となり、測定値が安定するまでの測定時間を十分に確保することが可能となるので、貨物自動車の走行中に正確な測定値を得ることができる。つまり、貨物自動車の荷台に積載された放射性汚染物から放出される放射線を別途測定する必要が無くなり、別途の測定作業及び測定時間を無くすことができるので、正確な測定値を効率的に得ることができるようになる。
また、上記貨物自動車と第１の放射線測定手段とに加えて、貨物自動車の現在位置を検出する位置検出手段と、第１の放射線測定手段により測定された測定値及び位置検出手段により検出された位置データを送信する送信手段と、を備えたので、放射性汚染物を積載した貨物自動車の走行に伴う走行経路での放射線による被爆状況を監視することが可能となる。
また、上記貨物自動車と第１の放射線測定手段とに加えて、貨物自動車に付着した放射線物質から放出される放射線を貨物自動車の走行中に測定するための第２の放射線測定手段と、貨物自動車の現在位置を検出する位置検出手段と、第１の放射線測定手段により測定された測定値及び位置検出手段により検出された位置データ、又は、第２の放射線測定手段により測定された測定値及び位置検出手段により検出された位置データを送信する送信手段と、を備えたので、放射性汚染物を積載した貨物自動車の走行に伴う走行経路での放射線による被爆状況、及び、空荷の貨物自動車の走行に伴う走行経路での放射線による被爆状況を監視することが可能となる。
また、第１の放射線測定手段は、底面と対向する上部開口を有した放射線遮蔽箱と、放射線遮蔽箱内に設置された放射線検出器と、を備え、放射線遮蔽箱は、外底面が荷台の床面と対向するように貨物自動車の荷台に設置され、放射線検出器は、貨物自動車の荷台に積載されて放射線遮蔽箱の上部開口の上方に位置する放射性汚染物から放出されて放射線遮蔽箱の上部開口を介して入射する放射線を検出するように構成されたので、貨物自動車の荷台に積載された放射性汚染物から放出されて放射線検出器により測定される放射線の測定値は、貨物自動車の車体に付着した放射性物質による放射線の影響、即ち、バックグランドの影響の小さい測定値となり、貨物自動車の荷台に積載された放射性汚染物から放出される放射線の測定に関してより正確な測定値を得ることができるようになる。
【図面の簡単な説明】
【０００６】
【図１】放射性汚染物運搬装置のブロック構成図（実施形態１）。
【図２】（ａ）は放射性汚染物運搬装置の側面図、（ｂ）は放射性汚染物運搬装置の平面図（実施形態１）。
【図３】（ａ）は放射線検出手段の平面図、（ｂ）は放射線検出手段の断面図（実施形態１）。
【図４】放射線検出手段内蔵シートを示す断面図（実施形態１）。
【図５】放射性汚染物運搬装置のブロック構成図（実施形態２）。
【図６】（ａ）は放射性汚染物運搬装置の側面図、（ｂ）は放射性汚染物運搬装置の平面図（実施形態２）。
【発明を実施するための形態】
【０００７】
実施形態１
図１；図２に示すように、実施形態１の放射性汚染物運搬装置１は、図外の放射性汚染物を積載可能な荷台３を備えた貨物自動車（以下、トラックという）２と、トラック２の荷台３に積載された放射性汚染物中の放射線物質から放出される放射線をトラック２の走行中に測定するための放射線測定手段５と、放射線測定手段５により測定された測定値を記憶する記憶手段６と、記憶手段６に記憶された測定値を管理部８に送信するための送信手段７と、を備える。尚、トラック２の走行中とは、トラック２が信号待ち等で一時停止している間も含む。
【０００８】
放射線測定手段５は、放射線検出手段５０と、当該放射線検出手段５０による放射線の測定を制御する測定制御手段５１とを備える。
放射線検出手段５０は、例えば、放射線の空間線量を検出するシンチレーション式サーベイメータやＧＭ管式サーベイメータ等の放射線検出器５２と、放射線検出器収容構成体５３とを備え、放射線検出器５２が放射線検出器収容構成体５３に収容されて構成される。
測定制御手段５１は、例えばコンピュータ１００と測定制御プログラム５４とにより構成される。
測定制御プログラム５４は、例えば、トラック２の運転席付近に設置された測定開始スイッチ４５からの測定開始信号を入力して、放射線検出器５２に所定の測定時間Ｔ１による測定を複数回行うように指示する手段としてコンピュータ１００を機能させる測定指示処理プログラム５５と、１回毎の測定時間Ｔ１が経過した時の測定値を記憶手段６に記憶させる手段としてコンピュータ１００を機能させる測定値記憶処理プログラム５６と、複数回の測定値の平均値を算出する手段としてコンピュータ１００を機能させる平均値算出処理プログラム５７と、当該平均値を記憶手段６に記憶させる手段としてコンピュータ１００を機能させる平均値記憶処理プログラム５８とを備える。
尚、測定時間Ｔ１は、測定開始後、測定値が安定するまでに要する十分な時間に設定される。例えば、時定数（正しい応答が得られるまでの時間の目安）を設定できる測定機器の場合、測定開始から時定数の３倍以上の測定時間Ｔ１が経過した後に得られる測定値を記憶手段６に記憶させる。例えば、時定数が１０秒であれば、測定開始から３０秒経過した時の測定値を記憶手段６に記憶させる。
例えば、測定制御プログラム５４は、放射線検出器５２に３０秒の測定を複数回（例えば５回）連続して行うように指示し、かつ、測定を開始して３０秒の測定時間Ｔ１が経過した時の各測定値を記憶手段６に記憶させるとともに、複数回の測定値の平均値を算出して当該平均値を記憶手段６に記憶させる手段としてコンピュータ１００を機能させる。
【０００９】
図３に示すように、放射線検出手段５０は、放射線検出器５２が、例えば、鉛等の放射線遮蔽材により形成された上部開口の放射線遮蔽箱５３ａの内底に設置されることによって、放射線検出器５２の上面以外の面（下面及び側面）が放射線遮蔽材で囲まれた構成である。
即ち、放射線検出器収容構成体５３は、例えば、断面角形又は断面円形で上部（一端）開口底部（他端）閉塞である有底の放射線遮蔽箱５３ａと、放射線遮蔽箱５３ａの内底面の中央部に設置された放射線検出器５２の周囲を取り囲むように配置されたウレタン等の緩衝材５３ｂと、放射線検出器５２が放射線遮蔽箱５３ａの内底面の中央部に設置された状態で放射線遮蔽箱５３ａの上部開口５３ｕを塞ぐ蓋５３ｃとを備えて構成される。つまり、放射線検出器収容構成体５３は、放射線遮蔽箱５３ａ以外は、放射線が減衰せずに通過できる材料により形成される。
従って、放射線検出器５２が放射線遮蔽箱５３ａの内側に設置されて構成された放射線検出手段５０によれば、放射線遮蔽箱５３ａの上部開口５３ｕを介して放射線遮蔽箱５３ａ内に入射する放射線は減衰することなく放射線検出器５２により検出されるが、放射線遮蔽箱５３ａの外底面及び外側面に入射する放射線は放射線遮蔽箱５３ａを形成する放射線遮蔽材により減衰して放射線検出器５２で検出されることになる。
よって、内底に放射線検出器５２が設置された上部開口５３ｕの放射線遮蔽箱５３ａの外底面がトラック２の荷台３の床面と対向するように放射線検出手段５０が荷台３に設置され、かつ、放射性汚染物が放射線遮蔽箱５３ａの上部開口５３ｕの上方に位置するように荷台３に積載されることによって、放射線遮蔽箱５３ａの下方に位置するトラック部分である荷台３の床面や荷台下部分に付着した放射性物質から放出される放射線、及び、放射線遮蔽箱５３ａの側方に位置するトラック部分であるアオリやパネルに付着した放射性物質から放出される放射線が減衰して放射線検出器５２で検出されることになる。
従って、当該放射線検出手段５０の放射線検出器５２により測定された放射線の線量は、トラック２の車体に付着した放射性物質による放射線の影響が少なくなって、トラック２の荷台３に積載された放射性汚染物から放出された正確な放射線量に近い値となる。即ち、当該放射線検出手段５０をトラック２の荷台３に設置すれば、放射線遮蔽箱５３ａの下方に位置するトラック部分である荷台３の床面や荷台下部分に付着した放射性物質から放出される放射線、及び、放射線遮蔽箱５３ａの側方に位置するトラック部分であるアオリやパネルに付着した放射性物質から放出される放射線が減衰するので、バックグランドの影響が小さくなり、トラック２の荷台３に積載された放射性汚染物から放出される放射線の線量をより正確に測定することができるようになる。
【００１０】
上述した放射線検出手段５０は、トラック２の荷台３上に１つ以上設置されれば良い。また、放射線検出手段５０の放射線遮蔽箱５３ａをトラック２の荷台３の床面に固定状態に設置するための手段としては、接着シート、あるいは、放射線遮蔽箱５３ａに取付けられた図外の取付フランジをトラック２の荷台３の床面に取付けるための取付ねじ等を用いれば良い。
【００１１】
放射線検出手段５０はシートに内蔵された構成としてもよい。例えば、図４に示すように、内底に放射線検出器５２が設置された上部開口５３ｕの放射線遮蔽箱５３ａの外底面を敷シート５３Ａ上に設置し、放射線遮蔽箱５３ａの上部開口５３ｕを蓋５３ｃで塞いだ後、カバーシート５３Ｂで当該放射線遮蔽箱５３ａを上方から覆い、カバーシート５３Ｂの周端縁と敷シート５３Ａとを溶着等の接着手段で接着することにより，放射線検出手段５０が敷シート５３Ａとカバーシート５３Ｂとの間に封じ込められた構成の放射線検出手段内蔵シート５０Ａを形成すれば、当該放射線検出手段内蔵シート５０Ａを荷台３上に敷くだけで放射線検出手段５０を簡単に荷台３に設置できるとともに、当該放射線検出手段内蔵シート５０Ａを荷台３から撤去するだけで放射線検出手段５０を簡単に荷台３から撤去できるようになる。
【００１２】
尚、当該放射線検出手段内蔵シート５０Ａは、トラック２の荷台３に敷設されて当該放射線検出手段内蔵シート５０Ａの放射線検出手段５０上に積載された放射性汚染物の放射線性物質から放出される放射線量を計測する以外にも使用可能である。
【００１３】
送信手段７は、例えばトラック２の屋根に取付けられた送信アンテナ７１と、記憶手段６に記憶された測定値の平均値を送信アンテナ７１を介して管理部８に送信する送信制御手段７２とを備える。
送信制御手段７２は、例えばコンピュータと送信制御プログラム７３とにより構成される。
送信制御プログラム７３は、例えば、トラック２の運転席付近に設置された送信開始スイッチ４６からの送信開始信号を入力して、記憶手段６に記憶されている測定値の平均値を送信アンテナ７１を介して管理部８に送信する手段としてコンピュータ１００を機能させるプログラムである。
【００１４】
以下、実施形態１の放射性汚染物運搬装置１を用いたゲートモニターシステムについて説明する。
ゲートモニターシステムは、上述した放射性汚染物運搬装置１と、放射性汚染物を保管する中間貯蔵施設等の保管場所の入口に設置された管理部８としてのゲートモニターとを備える。
保管場所は、放射性汚染物を、汚染濃度別（例えば高濃度汚染物、中濃度汚染物、低濃度汚染物）に分類して保管する場所である。
ゲートモニターは、放射性物質が付着した放射性汚染物をトラック２の荷台３に積載した後、保管場所に運搬するまでの間のトラック２の走行中に放射線検出手段５０で測定された測定値の平均値を入力して、当該平均値が示す放射能汚染濃度に対応した保管場所をトラック２の運転者等に表示する。
以上のような、ゲートモニターシステムによれば、トラック２の荷台３に積載されている放射性汚染物から放出されている放射線をトラック２の走行中に測定することが可能となり、トラック２の走行中に放射線を測定することが可能となれば、測定値が安定するまでの測定時間を十分に確保することが可能となるから、トラック２の走行中に放射性汚染物から放出されている放射線を正確に測定することが可能となる。
従って、当該ゲートモニターシステムによれば、保管場所の入口で荷台３上の放射性汚染物から放出されている放射線を測定する場合のような保管場所の入口での測定作業及び測定時間を無くすことができ、測定待ちの時間を無くすことができるので、保管場所の入口付近での測定待ちによる渋滞を解消できるようになる。
【００１５】
即ち、放射線検出器５２を用いて放射線を測定する場合、測定値が安定するまで（即ち、正確な測定値が測定されるまで）所定の時間を要するが、実施形態１の放射性汚染物運搬装置１のように、トラック２の荷台３に積載された放射性汚染物をトラック２の走行中に放射線を測定することが可能となれば、測定値が安定するまでの測定時間を十分に確保することが可能となる。
例えば、上述したように、放射性物質が付着した放射性汚染物をトラック２の荷台３に積載して保管場所に運搬し、当該放射性汚染物を汚染濃度別に分類して保管する場合において、保管場所の入口でトラックの荷台に積載された放射性汚染物の放射線量を測定して、保管場所の入口で測定する場合には、保管場所の入口で測定作業が必要になるとともに測定値が安定するまで所定の時間を要するので、保管場所の入口付近での測定待ちによるトラックの渋滞が発生しまう可能性がある。
一方、実施形態１の放射性汚染物運搬装置１によれば、トラック２の荷台３に放射性汚染物を積載した後、当該放射性汚染物を保管場所に運搬するまでのトラック２の走行中に放射性汚染物から放出される放射線を放射線測定手段５によって測定することができるので、トラック２の荷台３に積載された放射性汚染物から放出している放射線を走行中に正確に測定できて、保管場所の入口での測定作業及び測定時間を無くすことができるので、正確な測定値を効率的に得ることができるようになり、保管場所において放射性汚染物を汚染濃度別に分類する作業をスムーズに行えるようになる。
【００１６】
尚、記憶手段６に記憶されて表示画面等に表示される測定値の平均値を入力して記憶した後に送信できる機能を備えた携帯電話等を送信手段として使用すれば、上述した送信手段７を不要とできる。例えば、トラック２の運転席の近傍に設けられた表示手段により運転者等が測定値の平均値を知ることがきれば、運転者等が携帯電話に当該平均値を入力して管理部８に送信するようにすればよい。
【００１７】
実施形態２
実施形態２の放射性汚染物運搬装置１は、放射性汚染物を積載可能な荷台３を備えたトラック２と、トラック２の荷台３に積載された放射性汚染物中の放射線物質から放出されている放射線の線量を測定するための第１の放射線測定手段５Ａと、トラック２に付着した放射線物質から放出されている放射線の線量を測定するための第２の放射線測定手段５Ｂと、トラック２の現在位置を検出する位置検出手段９と、第１の放射線測定手段５Ａ及び第２の放射線測定手段５Ｂにより測定された測定値の平均値を記憶する記憶手段６と、位置検出手段９で検出された位置データを記憶する記憶手段６Ａと、記憶手段６に記憶された平均値及び記憶手段６Ａに記憶された位置データを管理部８Ａに送信するための送信手段７Ａと、を備える。
【００１８】
第１の放射線測定手段５Ａは、実施形態１で説明した放射線測定手段５と同じである。
第２の放射線測定手段５Ｂは、例えば、シンチレーション式サーベイメータやＧＭ管式サーベイメータ等の放射線検出器５２と、当該放射線検出器５２による放射線の測定を制御する測定制御手段５１とを備える。当該放射線検出器５２及び測定制御手段５１は、実施形態１で説明したものと同じである。
第２の放射線測定手段５Ｂの放射線検出器５２は、好ましくは放射線検出器５２からトラック２の各端部までの距離がほぼ等しくなるようにトラック２のほぼ中心位置に設置される。
位置検出手段９は、例えば、ＧＰＳ（グローバル・ポジショニング・システム）受信機である。
送信手段７Ａは、例えばトラック２の屋根に取付けられた送信アンテナ７１と、記憶手段６Ａに記憶された測定値の平均値及びＧＰＳ受信機で受信された位置データを送信アンテナ７１を介して管理部８Ａに送信する送信制御手段７２Ａとを備える。
送信制御手段７２Ａは、例えばコンピュータ１００と送信制御プログラム７３Ａとにより構成される。
送信制御プログラム７３Ａは、例えば、トラック２の運転席付近に設置された位置データ送信開始スイッチ４７からの送信開始信号を入力して、トラック２の走行中に位置検出手段９としてのＧＰＳ受信機で逐次受信されて記憶手段６Ａに記憶された位置データを逐次送信アンテナ７１を介して管理部８Ａに送信する手段としてコンピュータ１００を機能させる位置データ送信処理プログラム７５と、トラック２の運転席付近に設置された平均値送信開始スイッチ４８からの送信開始信号を入力して、記憶手段６に記憶されている測定値の平均値を送信アンテナ７１を介して管理部８Ａに送信する手段としてコンピュータを機能させる平均値送信処理プログラム７６とを備える。尚、測定値の平均値は、実施形態１で説明したものと同じである。
【００１９】
以下、実施形態２の放射性汚染物運搬装置１を用いたトラック運行管理システムについて説明する。
放射性汚染物運搬装置１は、トラック２の荷台３に放射性汚染物を積載した後、当該放射性汚染物を中間貯蔵施設等の保管場所に運搬するまでのトラック２の走行中に、常時、トラック２の位置データを管理部８Ａに送信するとともに、トラック２の走行中に荷台３上に搭載されている放射性汚染物から放出されている放射線を第１の放射線測定手段５Ａで複数回測定し、複数回の測定値の平均値を算出した後に当該平均値を管理部８Ａに送信する。
また、放射性汚染物運搬装置１は、荷台３に放射性汚染物を積載していない空荷の状態のトラック２の走行中に、常時、当該トラック２の位置データを管理部８Ａに送信するとともに、トラック２の走行中にトラック２に付着している放射性汚染物から放出されている放射線を第２の放射線測定手段５Ｂで複数回測定し、複数回の測定値の平均値を算出した後に当該平均値を管理部８Ａに送信する。
管理部８Ａは、トラック２から送信されてくる位置データに基づいてトラック２の走行経路を判定し、当該トラック２の走行経路において測定された測定値より算出された平均値が示す放射線量の蓄積量に基づいて放射性汚染物を積載したトラック２の走行に伴う走行経路での放射線による被爆状況を監視することが可能となり、被爆状況をインターネットを介して公開するとともに、当該走行経路での被爆量が所定量を超えた場合には、放射性汚染物運搬装置１のトラック２の当該走行経路を使用した走行を規制して、放射性汚染物運搬装置１のトラック２が使用すべき新規の走行経路を提示する等のトラック運行管理を行えるようになる。
当該トラック運行管理システムによれば、荷台３に放射性汚染物を積載したトラック２、及び、荷台３に放射性汚染物を積載していない空荷の状態のトラック２が走行する走行経路において、放射性汚染物及びトラック２に付着した放射性物質から放出される放射線による被爆量を逐次監視できるようになり、走行経路での被爆量の最新の情報を公開できるとともに、放射性汚染物運搬装置１のトラック２の走行経路でのトラック運行管理を簡単に行えるようになり、また、放射性汚染物運搬装置１のトラック２の走行経路の除染対策管理等も適切に行えるようになる。
【００２０】
尚、実施形態２の放射性汚染物運搬装置１においては、放射線測定手段として第１の放射線測定手段５Ａだけを備えた構成としてもよい。この場合、荷台３の床面や荷台下部分に付着した放射性物質から放出される放射線、及び、放射線遮蔽箱５３ａの側方に位置するトラック部分であるアオリやパネルに付着した放射性物質から放出される放射線を正確に測定できないので、荷台３に放射性汚染物を積載していない空荷の状態のトラック２の走行中に測定されるトラック２に付着した放射線物質から放出されている放射線の測定値の信頼性が低下することになるが、トラック２の荷台３に積載されている放射性汚染物から放出されている放射線の測定についてはトラック２の走行中に正確に行えるので、特に問題となるトラック２の荷台３に積載された放射性汚染物の影響については正確に把握できる。
【符号の説明】
【００２１】
１  放射性汚染物運搬装置、２  トラック、３  荷台、４  放射性汚染物、
５  放射線測定手段（第１の放射線測定手段）、５Ａ  第１の放射線測定手段、
５Ｂ  第２の放射線測定手段、７  送信手段、８  管理部、９  位置検出手段、
５２  放射線検出器、５３ａ  放射線遮蔽箱。
【図１】
2015099141.tif 000003
【図２】
2015099141.tif 000004
【図３】
2015099141.tif 000005
【図４】
2015099141.tif 000006
【図５】
2015099141.tif 000007
【図６】
2015099141.tif 000008